(57)【要約】【課題】  ガス発生やそれに伴う膨れの発生がなく、信頼性の高い層間接続を実現することが可能な導電ペーストを提供する。【解決手段】  導電金属材料と樹脂材料とを含有する導電ペーストである。導電金属材料としては、高融点金属と低融点金属を含有し、且つ低融点金属としてＳｎを含有する。樹脂材料としては、熱可塑性のポリエステル樹脂を含有する。Ｓｎの含有量は、導電金属材料全体の２０質量％〜３０質量％である。【選択図】  図２
2009146839.tif 000002
【特許請求の範囲】
【請求項１】
導電金属材料と樹脂材料とを含有する導電ペーストであって、
前記樹脂材料としてポリエステル樹脂を含有するとともに、
前記導電金属材料として高融点金属と低融点金属を含有し、且つ前記低融点金属としてＳｎを含有し、
前記Ｓｎの含有量が、導電金属材料全体の２０質量％〜３０質量％であることを特徴とする導電ペースト。
【請求項２】
複数の絶縁層が積層され、少なくとも１層の絶縁層にビアホールが形成されるとともに、当該ビアホールに導電ペーストが充填され層間接続用のビアホール導体が形成されてなる多層配線基板であって、
前記導電ペーストは、導電金属材料と樹脂材料とを含有する導電ペーストであって、前記樹脂材料としてポリエステル樹脂を含有するとともに、前記導電金属材料として高融点金属と低融点金属を含有し、且つ前記低融点金属としてＳｎを含有し、前記Ｓｎの含有量が、導電金属材料全体の２０質量％〜３０質量％であり、
前記高融点金属と低融点金属が合金化することにより前記ビアホール導体が形成されていることを特徴とする多層配線基板。
【発明の詳細な説明】
【技術分野】
【０００１】
本発明は、高融点金属と低融点金属の合金化により導体形成を行う導電ペースト及びこれを用いた多層配線基板に関するものであり、特に、ビアホールにおけるボイドの発生を抑制するための改良に関する。
【背景技術】
【０００２】
複数の絶縁層を積層して多層配線基板を形成する場合、いわゆる層間接続を図る必要があり、表面に導体パターンが形成された絶縁層にビアホールを形成し、ここに導電ペーストを充填することでビアホール導体を形成することが広く行われている。例えば、有機絶縁材料により形成された絶縁層にレーザ等でビアホールを形成し、前記ビアホールに樹脂材料（バインダ）と導電金属材料を混合した導電ペーストを充填する。次いで、これら絶縁層を積層して基板とし、当該基板を加熱、加圧することにより、導体パターンの金属と導電ペースト中の金属とを相互拡散させて固体拡散層を形成する。得られる多層配線基板においては、この固体拡散層を介して各絶縁層に形成された導体パターン間の電気的接続が図られる。
【０００３】
前述のような多層配線基板に使用される導電ペーストとしては、様々なタイプのものが開発されており、導電金属材料として高融点金属粉を用いたもの、高融点金属と低融点金属を合金化するもの、樹脂材料として熱可塑性樹脂を用いたもの、熱硬化性樹脂を用いたもの等、多種多様である。
【０００４】
例えば、特許文献１には、偏平状導電粉や不定形導電粉等の導電粉と、フェノキシ樹脂等の熱可塑性合成樹脂と、溶剤を含む導電ペーストが開示されている。特許文献１記載の発明では、導電粉として、ＡｇやＣｕ、Ｎｉ等の融点の高い金属粉や合金粉等を用いており、導電粉同士の接触により電気的導通を図るようにしている。すなわち、特許文献１記載の導電ペーストでは、段落番号００２０等にも記載されているように、熱可塑性合成樹脂の熱軟化により、固形物中に分散状態で固定化されていた導電粉が移動可能な状態になり、さらに加圧によって導電ペースト中の導電粉の距離が近くなり、導電粉同士の接触率が向上して導電性が付与される。
【０００５】
特許文献２には、熱可塑性樹脂フィルムを厚み方向に貫通するビアに熱可塑性樹脂からなるバインダと導電物質とを混合した導電性ペーストが充填された層間接続基材と、導体パターンが形成された配線基材とを、導体パターンが熱可塑性樹脂フィルムを介して積層されるように複数積み重ねた状態で熱融着して積層一体化する多層プリント配線基板の製造方法が開示されており、熱可塑性樹脂フィルムを介して積層された導体パターンの各層の間をビアに充填された導電性ペーストによって層間接続することが開示されている。特許文献２記載の発明では、積層基材が複数積み重ねられた状態で圧縮されることで、導電性ペースト中の導電物質が緻密化され、導電性が付与される。
【０００６】
しかしながら、前述の特許文献１や特許文献２に開示されるような導電粉の接触や導電物質の緻密化により導電性を付与するタイプの導電ペーストでは、必ずしも十分な導電性を得ることができず、また、加熱条件や加圧条件等によって抵抗値が左右され、安定して良好な導電性を実現することが難しいという問題もある。
【０００７】
そこで、さらに従来、高融点金属と低融点金属とを合金化することで、ビアホール内にバインダ樹脂から相分離し一体化した導体を形成し、層間接続する技術が提案されている（例えば、特許文献３等を参照）。
【０００８】
特許文献３記載の発明では、ビアホール内に、高融点金属と低融点金属とバインダ樹脂を充填し、低融点金属の融点より高い温度で加熱及び所定の圧力で加圧する。これにより、導体パターンのビアの開口部の表面部分と低融点金属との合金層が形成されるが、この時、高融点金属と低融点金属は、この両金属の半溶融金属混合物と溶融したバインダ樹脂と、相分離を経由しながら合金化し、柱状の層間接続部を形成する。
【０００９】
前述のように、合金化により柱状の層間接続部を形成することで、金属粉の接触により導電性を付与するものに比べて抵抗値を大幅に低下することができ、加熱条件や加圧条件等によらず良好な導電性を得ることが可能である。
【特許文献１】特開２００３−３３１６４８号公報
【特許文献２】特開２００４−２７３５７５号公報
【特許文献３】特開２００６−１６５５０８号公報
【発明の開示】
【発明が解決しようとする課題】
【００１０】
ところで、特許文献３記載の発明のように高融点金属と低融点金属の合金化により柱状の層間接続部を形成する場合、低融点金属としてＳｎ（錫）を用いることが好ましい。Ｓｎは、Ａｇ（銀）やＣｕ（銅）等の高融点金属と容易に合金化し、低融点化する。また、Ｓｎは入手が容易であり、低価格であり取り扱いも容易であるという利点を有する。
【００１１】
一方、バインダ樹脂としては熱可塑性樹脂を用いる必要があり、ポリエステル樹脂を用いるのが一般的である。例えば特許文献３には種々の熱可塑性樹脂が列挙されているが、具体例においては、物性や基材との密着性等の観点から、ポリエステル樹脂が用いられている。
【００１２】
しかしながら、本発明者らが種々の検討を重ねたところ、低融点金属としてＳｎを用い、バインダ樹脂としてポリエステル樹脂を用いた導電ペーストにおいては、ビア部を起点とする膨れが発生し、接続信頼性を大きく損なうことがわかってきた。特に、ビアホール同士のピッチが狭くなり、ビアホールが密集して存在するようになると、層間接続時の加熱、加圧や、リフロー等の熱衝撃が加わった際に、ビア部を起点として導体パターンとビアホール充填物間、さらには絶縁層（基材）に至る範囲に分離（膨れ）が発生し、接続信頼性が低下する。
【００１３】
本発明は、このような従来の実情に鑑みて提案されたものであり、前述のような膨れの発生がなく、信頼性の高い層間接続を実現することが可能な導電ペーストを提供することを目的とし、さらには、接続信頼性の高い多層配線基板を提供することを目的とする。
【課題を解決するための手段】
【００１４】
前述の目的を達成するために、本発明の導電ペーストは、導電金属材料と樹脂材料とを含有する導電ペーストであって、前記樹脂材料としてポリエステル樹脂を含有するとともに、前記導電金属材料として高融点金属と低融点金属を含有し、且つ前記低融点金属としてＳｎを含有し、前記Ｓｎの含有量が、導電金属材料全体の２０質量％〜３０質量％であることを特徴とする。
【００１５】
また、本発明の多層配線基板は、複数の絶縁層が積層され、少なくとも１層の絶縁層にビアホールが形成されるとともに、当該ビアホールに導電ペーストが充填され層間接続用のビアホール導体が形成されてなる多層配線基板であって、前記導電ペーストは、導電金属材料と樹脂材料とを含有する導電ペーストであって、前記樹脂材料としてポリエステル樹脂を含有するとともに、前記導電金属材料として高融点金属と低融点金属を含有し、且つ前記低融点金属としてＳｎを含有し、前記Ｓｎの含有量が、導電金属材料全体の２０質量％〜３０質量％であり、前記高融点金属と低融点金属が合金化することにより前記ビアホール導体が形成されていることを特徴とする。
【００１６】
高融点金属と低融点金属を合金化する導電ペーストでは、バインダ樹脂として熱可塑性樹脂を用いる必要があり、ポリエステル樹脂を用いているが、例えばビアホール間のピッチの狭い基板においては、ボイドの発生を十分に抑えることができず、これを解決することが大きな課題となっている。
【００１７】
ボイド発生の原因は、導電ペースト中のバインダ樹脂の熱劣化による分解であり、加熱により分解発生した成分がガス化し、その内圧でビアホール内側から導体パターンを押し上げ、導通信頼性を悪化させる。本発明者らは、研究を重ねた結果、ポリエステル樹脂が熱分解されることによって、低分子量成分が新たに発生し、前記メカニズムによるボイド発生の原因となることを見出すに至った。また、導通を担う導電金属材料のうちのＳｎが触媒のような働きをし、バインダ樹脂であるポリエステル樹脂の分解を促進していることもわかってきた。
【００１８】
本発明においては、前述の知見に基づいて、バインダ樹脂としてポリエステル樹脂を用い、導電金属材料としてＳｎを含有する導電ペーストにおいて、Ｓｎの含有量を所定の範囲（導電金属材料全体の２０質量％〜３０質量％）に設定している。Ｓｎの含有量を規定することで、形成される導体において抵抗値が低い値に維持され、同時にポリエステル樹脂の分解が抑えられてボイドの発生が抑制される。
【発明の効果】
【００１９】
本発明の導電ペーストによれば、バインダ樹脂の熱分解を抑制し、膨れの発生のない信頼性の高い層間接続を実現することが可能である。したがって、本発明の導電ペーストを用いることで、例えばビアホール間のピッチが狭くビアホールが密集して存在する多層配線基板においても、ビア部を起点とした分離や膨れが発生することがなく、接続信頼性の高い多層配線基板を提供することが可能である。また、本発明の導電ペーストを用いることで、ビアホールのピッチを狭くすることができ、多層配線基板を高密度化する上で有効である。
【発明を実施するための最良の形態】
【００２０】
以下、本発明を適用した導電ペーストの実施形態、及びこれを用いた多層配線基板の実施形態について説明する。
【００２１】
先ず、本発明の導電ペーストは、高融点金属と低融点金属の合金化により導体形成を行う導電ペーストであり、導電金属材料として高融点金属と低融点金属を含むものである。ここで、低融点金属としては、任意の低融点金属を使用することが可能であるが、少なくともＳｎ（錫）を含んでいる必要がある。本発明の導電ペーストは、低融点金属としてＳｎを含むことを前提としており、導電金属材料としてＳｎを含む場合の膨れの発生を抑制するものだからである。
【００２２】
前記低融点金属は、Ｓｎのみを用いてもよいし、Ｓｎと他の低融点金属を組み合わせて用いても良い。また、Ｓｎ合金を用いることも可能である。Ｓｎ合金としては、各種はんだ合金を挙げることができ、例えばＳｎＡｇはんだ、ＳｎＣｕはんだ、ＳｎＡｇＣｕはんだ等を挙げることができる。これらはんだに、Ｉｎ（インジウム）やＢｉ（ビスマス）、Ｚｎ（亜鉛）等を添加したものも使用可能である。なお、鉛はんだ等も使用可能であるが、環境汚染の観点等から、その使用は避けることが好ましい。前記高融点金属としては、任意の高融点金属を用いることができ、例えばＡｇやＣｕ、Ｎｉ、Ｚｎ、さらにはこれらの合金等を使用することが可能である。中でも、ＡｇやＣｕの使用が望ましく、これにより導電性に優れたビアホール導体の形成が可能である。
【００２３】
前記低融点金属や高融点金属は、それぞれ粒子状のもの（金属粒子）を用いるが、金属粒子としては、粒径が数μｍ〜数十μｍ程度のものを用いればよい。勿論、導電金属材料が金属粒子に限られるわけではなく、均等に混合可能であれば任意の形態のものを使用することが可能である。
【００２４】
前述の導電金属材料においては、低融点金属であるＳｎの含有量が、導電金属材料全体の２０質量％〜３０質量％であることが好ましい。Ｓｎの含有量が２０質量％未満であると、高融点金属との合金化による低融点化が不十分になり、形成される導体の抵抗値が上昇するおそれがある。逆に、Ｓｎの含有量が３０質量％を越えると、ポリエステル樹脂の熱分解が顕著になり、ボイドの発生が問題になる。低融点金属であるＳｎの含有量を導電金属材料全体の２０質量％〜３０質量％とすることで、形成される導体を低抵抗とすることができ、また、ビアホールが密集して存在する多層配線基板においてもボイドの発生を抑えることができ、多層配線基板を高密度化することが可能となる。なお、高融点金属の含有量については、前記Ｓｎの含有量に応じて任意に設定することが可能である。
【００２５】
本発明の導電ペーストは、前述の導電金属材料の他、樹脂材料（バインダ樹脂）を含んでいる。ここで、本発明の導電ペーストにおいては、加熱によって高融点金属と低融点金属とが合金化し、合金化した半溶融金属混合物と溶融したバインダ樹脂とが相分離を起こすことによって、柱状の導体（ビアホール導体）を形成するものである。したがって、前記バインダ樹脂として熱可塑性樹脂であるポリエステル樹脂を用いる。
【００２６】
前述の成分からなる導電ペーストにおいて、導電金属材料とバインダ樹脂（ポリエステル樹脂）の配合比は、重量比で９５．０：５．０〜９９．０：１．０とすることが望ましく、９７．０：３．０〜９８．５：１．５とすることがより望ましい。バインダ樹脂の比率が重量比で１．０％未満であると、例えばビアホール内部への導電ペーストの充填状態が悪化し、ビアホール導体の抵抗値が上昇したり、歩留まりが悪化する等の問題が生ずるおそれがある。逆に、バインダ樹脂の比率が重量比で５．０％を越えると、相対的に導電金属材料の比率が減ることになり、導体形成に支障をきたすおそれが生ずるばかりでなく、ガス発生量が増えて膨れが発生するおそれも生ずる。
【００２７】
導電ペーストを調製するには、前述のバインダ樹脂（ポリエステル樹脂）を有機溶剤に溶解させ、得られた溶液に導電金属材料の粒子を加えて混合する。さらに、印刷充填に適した粘度に調整するために有機溶剤を適量加え、再度混合する。有機溶剤としては、バインダ樹脂であるポリエステル樹脂を溶解し得るものであれば任意の有機溶剤を使用することができるが、導電ペーストを真空下で印刷充填する場合には、比較的沸点が高い有機溶剤を用いることが好ましい。例えば、１０００Ｐａ〜５０００Ｐａ程度の真空下で印刷充填を行う場合、有機溶剤の沸点は２００℃以上であることが好ましい。このような条件を満たす有機溶剤としては、例えば化１に示すトリエチレングリコールジメチルエーテル（トリグライム）等を挙げることができる。トリエチレングリコールジメチルエーテルの沸点は２１６℃である。
【００２８】
【化１】
2009146839.tif 000003
【００２９】
以上の構成を有する導電ペーストは、例えば、複数の絶縁層（基材）が積層され、少なくとも１層の絶縁層にビアホールが形成されるとともに、当該ビアホールに導電ペーストが充填され層間接続用のビアホール導体が形成されてなる多層配線基板において、ビアホール導体の形成に用いられる。そこで次に、多層配線基板の構成、及び前述の導電ペーストを用いたビアホール導体の形成について説明する。
【００３０】
多層配線基板は、図１に示すように、表面導体パターン２が形成された複数の基材１を重ね、一体化したものである。前記基材１としては、いわゆるガラスエポキシ基板や、エポキシ樹脂を含浸したアラミド基板、ポリイミド樹脂基板、液晶ポリマー基板、ポリアセタール樹脂基板、ポリアミド基板等、公知の基板材料のいずれも使用可能である。
【００３１】
前記各基材１には、それぞれ表面導体パターン２が形成され、所定の回路を形成するとともに、各基材１に形成されたビアホール導体３によって表面導体パターン２間が層間接続されている。これにより、各基材１の表面導体パターン２間が電気的に接続され、高密度に回路配線が形成された多層配線基板が実現される。
【００３２】
前述の多層配線基板において、ビアホール導体３の形成には導電ペーストが用いられ、導電ペーストとして、先に説明した導電ペーストを用いる。すなわち、導電金属材料として高融点金属及び低融点金属（Ｓｎ）を含み、バインダ樹脂としてポリエステル樹脂を含む導電ペーストを用いる。
【００３３】
ビアホール導体３の形成に際しては、各基材１の所定の位置にビアホールを形成する。ビアホールは、例えばレーザを用いて形成する。ビアホールの形成の後、導電ペーストを前記ビアホール内に印刷充填する。導電ペーストの印刷充填は、例えば１０００Ｐａ〜５０００Ｐａ程度の真空下で行う。導電ペーストの充填の後、加圧しながら加熱を行い、基材１の積層及びビアホール導体の形成を行う。なお、基材１の積層は、１枚ずつ積層する逐次積層であってもよいし、複数の基材１を一括して積層する一括積層であってもよい。
【００３４】
ビアホールに導電ペーストを充填して加熱を行うと、導電ペーストに含まれる高融点金属と低融点金属が合金化し、合金化した半溶融金属混合物と溶融したバインダ樹脂とが相分離を起こすことによって、柱状の導体（ビアホール導体３）が形成される。図２は、前記ビアホール導体３の形成状態を示すものである。基材１に形成されたビアホール１１内には前記導電ペーストが充填されるが、充填された導電ペーストは、バインダ樹脂相１２と導電金属材料相１３とに分離し、合金化した半溶融金属混合物が一体化することで形成された導電金属材料相１３が前記ビアホール導体３として機能する。
【００３５】
本発明の導電ペーストを用いて前記ビアホール導体３を形成した場合、バインダ樹脂（ポリエステル樹脂）の熱分解によるガスの発生が抑制され、膨れの発生が低減される。したがって、極めて高密度（狭ピッチ）のビア配置に対しても膨れの発生の少ない多層配線基板を製造することが可能となる。
【００３６】
以上、本発明を適用した実施形態について説明したが、本発明が前述の実施形態に限定されるものでないことは言うまでもなく、本発明の要旨を逸脱しない範囲で種々の変更が可能である。
【実施例】
【００３７】
次に、本発明の具体的な実施例について、実験結果を基に説明する。
【００３８】
本実験においては、表１に示すように、低融点金属（Ｓｎ）、高融点金属１（Ｃｕ）、高融点金属２（Ａｇ）、バインダ樹脂（ポリエステル樹脂）、及び有機溶剤（トリグライム）からなる導電ペーストを調製し、ビアホール導体を形成した際の抵抗値（ビア１個当たりの値）及び膨れを評価した。膨れの評価においては、調製した導電ペーストをビアホールに充填し、ビアホール上に導体層を形成し、積層のための加熱、加圧を行った。得られた多層配線基板をオーブンで加熱した後、リフロー炉に投入し、膨れの程度（膨れの発生しない限界ピッチ）の違いを比較した。結果を表１に併せて示す。なお、表中の膨れ限界ピッチは、膨れが生じないビアホールの最小ピッチを目視にて確認したものである。ビアホールの形成ピッチが次第に小さくなり、ビアホールが高密度に形成されるようになると、ガス発生による膨れが発生し易くなる。したがって、前記膨れ限界ピッチが小さいほど導電ペーストのガス発生の影響が小さいと言うことができる。
【００３９】
【表１】
2009146839.tif 000004
【００４０】
バインダ樹脂としてポリエステル樹脂を用いた場合、Ｓｎの含有量の増加に伴って膨れ限界ピッチの値が大きくなっている。このことから、ポリエステル樹脂は、Ｓｎの触媒的作用により熱分解が促進されているものと推測される。膨れ限界ピッチの観点からは、Ｓｎの割合が導電金属材料の４０質量％である試料１において、膨れ限界ピッチの上昇が見られ、Ｓｎの割合は３０質量％以下とすることが好ましいことがわかる。一方、低融点金属であるＳｎの比率が少ない場合（Ｓｎ１０質量％の場合：試料４）、形成されるビアホール導体の抵抗値が急激に大きくなっている。したがって、Ｓｎの割合は２０質量％以上とすることが好ましいと言える。
【図面の簡単な説明】
【００４１】
【図１】多層配線基板の構成例を示す概略断面図である。
【図２】形成されるビアホール導体を模式的に示す概略断面図である。
【符号の説明】
【００４２】
１  基材、２  表面導体パターン、３  ビアホール導体、１１  ビアホール、１２  バインダ樹脂相、１３  導電金属材料相
【図１】
2009146839.tif 000005
【図２】
2009146839.tif 000006